(57)【要約】【課題】滑り止め作業が簡単にできるとともに、滑り止め性能に優れ、かつ、滑り止め対象面をあまり傷つけることのない滑り止め部材４の提供を目的とする。また、滑り止め作業が簡単にできるとともに、滑り止め性能に優れ、かつ、滑り止め対象面をあまり傷つけることのない滑り止め付き装置の提供を目的とする。【解決手段】設置対象面１に取付面２を当接させて設置対象面１に対する滑動を規制する滑り止め部材４であって、  前記取付面２に硬質、かつ、先端鋭利な多数の突起３を突設して滑り止め部材４を構成する。  また、上述の滑り止め部材４と、  該滑り止め部材４の取付面２を設置対象面１に押し付ける押し付け手段５とを有して滑り止め付き装置を構成する。【選択図】図３
2016217427.tif 000002
【特許請求の範囲】
【請求項１】
設置対象面に取付面を当接させて設置対象面に対する滑動を規制する滑り止め部材であって、
前記取付面に硬質、かつ、先端鋭利な多数の突起を突設した滑り止め部材。
【請求項２】
前記滑り止め部材は、金属板材から突起を切り起こして形成されるとともに、
該切り起こしは、金属板材の中央あるいは外側に向かって円環状になされる請求項１記載の滑り止め部材。
【請求項３】
請求項１または２記載の滑り止め部材と、
該滑り止め部材の取付面を設置対象面に押し付ける押し付け手段とを有する滑り止め付き装置。
【請求項４】
前記取付面を揺動自在に支持する揺動支持部を有する請求項３記載の滑り止め付き装置。
【請求項５】
伸縮自在に形成されて前記滑り止め部材が少なくとも一端に配置され、対向する設置対象面間に架設固定される長尺部材を有する請求項３または４記載の滑り止め付き装置。
【請求項６】
前記押し付け手段が付勢手段からなるとともに、
前記長尺部材は、伸縮自在に形成される支柱部と、
伸長方向に飛び出し自在に前記支柱部に連結され、先端に滑り止め部材を固定して前記付勢手段により飛び出し方向に付勢されるアーム部とを有する請求項５記載の滑り止め付き装置。
【発明の詳細な説明】
【技術分野】
【０００１】
本発明は滑り止め部材および滑り止め付き装置に関するものである。
【背景技術】
【０００２】
設置対象面に取付面を当接させて設置対象面に対する滑動を規制する滑り止め部材としては、従来、特許文献１に記載されたものが知られている。この従来例は薄型テレビ装着用壁面ユニットに関するもので、該ユニットの最上部と最下部にはボルト近似のレベルアジャスターが螺着され、該レベルアジャスターを天井面と床面に圧接させて滑り止め固定される。
【先行技術文献】
【特許文献】
【０００３】
【特許文献１】特開２００６-６０７５４号公報
【発明の開示】
【発明が解決しようとする課題】
【０００４】
しかしながら、上述の従来例において滑り止め性能を高めるためには、レベルアジャスターの設置対象面に対する圧接力を高めるしかなく、このためにはレベルアジャスターに強い回転操作力を加えなければならないことから、滑り止め作業に多大な労力がかかるという欠点がある。
【０００５】
この点、例えばレベルアジャスターの取付面にゴム板等の適宜の摩擦体を取り付け、設置対象面との間に高い摩擦力を生じさせることで滑り止め性能を高めることも不可能ではないが、このような摩擦によっては極めて高い滑り止め効果を期待することが難しい。これに対し、例えば釘等でレベルアジャスターを設置対象面に打ち付ければ、極めて高い滑り止め効果が発揮されるものの、取り外したときに目立ってしまうような傷が天井面についてしまうし、釘打ち作業にも多大な手間がかかる。
【０００６】
本発明は以上の欠点を解消すべくなされたものであって、滑り止め作業が簡単にできるとともに、滑り止め性能に優れ、かつ、滑り止め対象面をあまり傷つけることのない滑り止め部材の提供を目的とする。また、本発明の他の目的は、滑り止め作業が簡単にできるとともに、滑り止め性能に優れ、かつ、滑り止め対象面をあまり傷つけることのない滑り止め付き装置の提供にある。
【課題を解決するための手段】
【０００７】
本発明によれば、上記目的は、
設置対象面１に取付面２を当接させて設置対象面１に対する滑動を規制する滑り止め部材４であって、
前記取付面２に硬質、かつ、先端鋭利な多数の突起３、３、・・を突設した滑り止め部材４を提供することにより達成される。
【０００８】
本発明によれば、滑り止め部材４の取付面２には、硬質、かつ、先端鋭利な多数の突起３、３、・・が突設される。取付面２を設置対象面１に押し付けると、突起３が設置対象面１に噛み込むことで極めて高い滑り止め性能を発揮することができる。
【０００９】
すなわち、先端鋭利な突起３が設置対象面１に突き刺さることにより、滑り方向の力は突起３への剪断応力として作用するが、突起３が硬質材料により形成され、かつ多数であるために、かかる剪断応力に抗して高い滑り止め効果を発揮することができる。
【００１０】
また、滑り止め作業は、先端鋭利な突起３が噛み込む程度に取付面２を設置対象面１に押し付ければ足りるために、あまり手間がかかることはない。さらに、設置対象面１には突起３が噛み込むに過ぎないために、取り外したときに大きく目立ってしまうような傷がついてしまうのも防止できる。
【００１１】
したがって本発明によれば、設置対象面１をあまり傷つけることがない上に、滑り止め作業も簡単で、かつ、極めて優れた滑り止め性能をも発揮させることができる。
【００１２】
なお、設置対象面１に微小な凹凸がある場合には、突起３が凹凸に係止し、また、荷重が面積の小さな突起３の先端に集中することにより、良好に滑り止めすることができる。
【００１３】
上述の突起３は、設置対象面１に目立つような傷をつけないように小さいサイズにするのが望ましく、例えば下ろし金近似に形成することができる。この場合において、滑り止め部材４を金属板材から突起３を切り起こして形成するとともに、該切り起こしを金属板材の中央あるいは外側に向かって円環状にしたときには、設置対象面１上の全方位への滑り止めを極めて簡単に実現することができる。滑り止め性能を考慮すれば、円環状の切り起こしは幾重にもわたってすることが望ましく、また、金属板材を円形にすれば面積効率を高めることもできる。
【００１４】
また、本発明に係る滑り止め付き装置は、
上述した滑り止め部材４と、
該滑り止め部材４の取付面２を設置対象面１に押し付ける押し付け手段５とを有して構成することができる。
【００１５】
この発明によれば、滑り止め付き装置は、上述した滑り止め部材４に加え、該滑り止め部材４の取付面２を設置対象面１に押し付ける押し付け手段５を有する。押し付け手段５が突起３の設置対象面１からの噛み込み解除を規制することにより、滑り止め性能が良好に維持される。
【００１６】
すなわち、滑り止め部材４に設けられる先端鋭利な突起３は、側面に傾斜面を有するために、上述した滑り方向の力によって噛み込み解除方向の分力を生じさせることとなるが、この分力に対して押し付け手段５の押し付け力が抵抗することにより、滑り止め性能を良好に維持することができる。さらに、押し付け手段５による取付面２の設置対象面１への圧接力は、取付面２の設置対象面１に対する滑り方向の摩擦抵抗をも増大させることができる。
【００１７】
この場合において、取付面２を揺動自在に支持する揺動支持部６を有して滑り止め付き装置を構成した場合には、設置対象面１の傾きに対する取付面２の追随性を高めることができ、良好な面接触を通じて滑り止め性能を良好に発揮することができる。
【００１８】
上述した押し付け手段５は、例えば、取付面２を設置対象面１側に付勢する弾性体などの付勢手段や、あるいは、設置対象面１上に滑り止め付き装置を載置するような場合には、滑り止め付き装置の荷重を利用して構成することができる。また、押し付け手段５による押し付けは、例えば上述した従来例のように突っ張り棒状に押し付け手段５を構成し、天井と床などといった適宜の対向する設置対象面１、１間に突っ張らせることでも実現可能である。この場合において滑り止め付き装置は、伸縮自在に形成されて上述の滑り止め部材４が少なくとも一端に配置され、対向する設置対象面１、１間に架設固定される長尺部材７を有して構成すれば足りる。
【００１９】
さらに、以上のように設置対象面１、１間に伸縮自在な長尺部材７を架設する場合には、
上記押し付け手段５が付勢手段からなるとともに、
上記長尺部材７が、伸縮自在に形成される支柱部８と、
伸長方向に飛び出し自在に上記支柱部８に連結され、先端に滑り止め部材４を固定して上記付勢手段５により飛び出し方向に付勢されるアーム部９とを有することにより、長尺部材７の架設を極めて簡単にすることができ、また、滑り止め作業時の長尺部材７の取り扱いも容易になる。
【発明の効果】
【００２０】
以上の説明から明らかなように、本発明によれば、滑り止め性能に優れるとともに、設置対象面に目立った傷つけることなく、かつ、滑り止め作業も簡単な滑り止め付き装置を提供することができ、例えば室内空間内に様々なものを滑り止め固定することにより、室内を飾ったり、レイアウト調整したりすることができる。
【図面の簡単な説明】
【００２１】
【図１】本発明に係る滑り止め付き装置を示す図で、（ａ）は正面図、（ｂ）は（ａ）の１Ｂ-１Ｂ線拡大断面図、（ｃ）は（ａ）の１Ｃ-１Ｃ線拡大断面図、（ｄ）は（ａ）の１Ｄ-１Ｄ線拡大断面図である。
【図２】滑り止め付き装置を示す図で、（ａ）は付勢手段を縮ませた状態を示す上端部の拡大正面図、（ｂ）は（ａ）の２Ｂ方向矢視図、（ｃ）は図１（ｃ）の２Ｃ-２Ｃ線要部拡大断面図である。
【図３】滑り止め付き装置を示す図で、（ａ）は拡大平面図、（ｂ）は上端部近傍の拡大正面図、（ｃ）は滑り止め部材の構造を示すための要部拡大斜視図である。
【図４】滑り止め付き装置を示す図で、（ａ）は一部を破断して示す上端部の拡大正面図、（ｂ）は設置状態の一例を示す上端部の拡大正面図である。
【図５】滑り止め付き装置の変形例を示す図で、下端部の拡大要部縦断面図である。
【発明を実施するための形態】
【００２２】
図１ないし図４に本発明に係る滑り止め付き装置としての伸縮式支柱を示す。この伸縮式支柱は、天井と床の間で鉛直方向に突っ張り棒状に立設、固定できるもので、例えば薄型テレビ、棚板材、あるいは間仕切り板材などを取り付けることにより、テレビ台や、棚、あるいはパーテーションボードなどとして使用できるものである。この実施の形態において、上記伸縮式支柱は、図１（ａ）に示すように、伸縮自在な長尺部材７と、この長尺部材７の上端に配置される滑り止め部材４とを有する。
【００２３】
上記長尺部材７は、図１（ａ）、（ｄ）、および図２（ｃ）に示すように、第１の支柱材８ａと、この第１の支柱材８ａを引き出し自在に内側に収容する第２の支柱材８ｂとからなる支柱部８を有し、第１の支柱材８ａの第２の支柱材８ｂからの引き出し量を調整することにより支柱部８をテレスコープ状に伸縮自在にされる。この実施の形態において、第１の支柱材８ａは略矩形断面をなして下方に配置され、第２の支柱材８ｂはＣ字状断面をなして上方に配置される。
【００２４】
また、上記支柱部８の全長は、第２の支柱材８ｂを貫通して第１の支柱材８ａに止着子近似の適宜の連結金具１１を螺入等することにより一定に保持することができる。さらに、長尺部材７の下端、すなわち上述した第１の支柱材８ａの下端には、床とのより安定した接触状態を良好に確保するために、第１の支柱材８ａの断面よりもひとまわり面積の広い円盤状のベース部１２が形成される。
【００２５】
一方、上記滑り止め部材４は、図３に示すように、硬質材料からなる先端鋭利な突起３の多数を有し、突起３の高さが小さくされることにより下ろし金近似に形成される。この滑り止め部材４は、ステンレス等の金属板材から突起３を切り起こして形成され、より具体的には、金属板材は円形をなし、突起３は金属板材の中心周りに円環状に配置され、その各々が外側に向かって切り起こされる。また、上記突起３は金属板材への焼き入れ処理により硬度が高められ、さらに、図３（ｂ）および（ｃ）に示すように、金属板材は、外周縁部を全周に渡って突起３とは逆方向に折り曲げて補強部１３が形成され、全体の曲げ等に対する強度を高められる。
【００２６】
また、上記滑り止め部材４は、図３（ｂ）に示すように、上述した金属板材よりもやや厚いステンレス等の金属板材からなる補強材１４を裏張りして補強された上、ゴム等の弾性材からなるクッション材１５がさらに重ねられてクッション性を高められる。これら補強材１４やクッション材１５は、滑り止め部材４と同じ程度の大きさの円盤状に形成される。なお、図３（ａ）および（ｂ）において１６は、滑り止め部材４に補強材１４とクッション材１５を積層固定するためのネジである。
【００２７】
以上の滑り止め部材４等は、天井に対して突起３を突き刺しやすくするために、図１（ａ）ないし（ｃ）、および図２に示すように、突起３の立ち上がり方向に付勢可能な押し付け手段５を介して上述した支柱部８に連結される。この押し付け手段５は、この実施の形態においては付勢手段からなり、さらに、この付勢手段５をガイドするために上述の長尺部材７にはアーム部９が形成される。
【００２８】
上記アーム部９は、棒状に形成され、下端部側を第２の支柱材８ｂの上端部の内側に進退自在に収容されて第２の支柱材８ｂに連結される。これにより、第２の支柱材８ｂからの上方への飛び出し量に応じて長尺部材７の全長を伸縮させることができる。この実施の形態において、アーム部９は円形断面をなし、その上端側が上述した滑り止め部材４等の裏面側、すなわちクッション材１５に固定される。
【００２９】
また、以上のアーム部９の第２の支柱材８ｂからの抜け落ちを防止するために、図１（ｃ）および図２に示すように、アーム部９にはストッパ２６が形成されるとともに、第２の支柱材８ｂにはストッパ受け２７が形成される。上記ストッパ２６は、この実施の形態においてはピン状に形成され、アーム部９のその外周面から飛び出すようにしてアーム部９の下端部に取り付けられる。このストッパ２６は、上述のようにＣ形チャンネル材等からなる第２の支柱材８ｂの開放部２８に面して配置される。
【００３０】
一方、上記ストッパ受け２７は、上述の開放部２８を第２の支柱材８ｂの上端部において閉塞して形成される。したがってアーム部９は、ストッパ２６を開放部２８内で上下動させて第２の支柱材８ｂに対して進退し、また、ストッパ２６がストッパ受け２７に衝接することにより第２の支柱材８ｂからの抜け落ちが禁止される。
【００３１】
一方、上述した付勢手段１８は、圧縮コイルバネからなり、アーム部９を外側から囲繞するようにして滑り止め部材４等と第２の支柱材８ｂとの間に介装される。この圧縮コイルバネ１８のコイル径は、アーム部９の外径よりもやや大きく、また、図１（ｂ）に示すように少なくとも第２の支柱材８ｂの外接円よりもやや小さくされる。また、その自由高さは、アーム部９の全長よりもやや短くされる。
【００３２】
したがって滑り止め部材４は、アーム部９の伸長により長尺部材７の伸長方向、すなわち突起３の立ち上がり方向に移動することができ、また、滑り止め部材４と第２の支柱材８ｂとの間に介装される付勢手段１８により、この方向に付勢される。さらに、この付勢による滑り止め部材４の移動量は、ストッパ２６のストッパ受け２７への衝接を限度にして制限される。
【００３３】
さらにまた、設置対象面１である天井面の傾きに追随するために、図４（ａ）に示すように、以上の押し付け手段５等と上述した滑り止め部材４等との接合箇所近傍には揺動支持部６が形成され、これにより滑り止め部材４が揺動自在に支持される。上記揺動支持部６は、滑り止め部材４をアーム部９に固定するための止着子２１を流用して構成されるもので、この止着子２１を挿通するために滑り止め部材４、補強材１４、およびクッション材１５に貫通状に形成される透孔２２を止着子２１よりもひとまわり大きくルーズにし、透孔２２内で止着子２１を傾動可能にして構成される。
【００３４】
また、透孔２２内での止着子２１の不用意なガタつきを規制するために、ゴム等の弾性材からなる支承部２３が滑り止め部材４等に隣接して形成される。この支承部２３は、具体的にはクッション材１５とアーム部９との間に介装されて止着子２１の透孔２２内での傾動を弾性変形に伴って許容するもので、止着子２１を挿通可能な円筒状に形成される。
【００３５】
したがって天井面１の不陸があるときにも、図４（ｂ）に示すように滑り止め部材４の突起３形成面である取付面２がこれに追随し、天井面１と取付面２との良好な面接触が確保される。なお、以上の揺動支持部６や支承部２３は、図１（ａ）にその一部のみ示されるように、上述したベース部１２側にも形成される。なお、図１（ａ）において２４は金属板材であり、２５は上述したクッション材１５に相当するものである。
【００３６】
以上の伸縮式支柱の設置方法を以下に説明する。伸縮式支柱は、この実施の形態において、利用者自身の手により天井と床の間に立設、固定される。利用者は、先ず最初に、連結金具１１を緩めるなどして長尺部材７を伸縮可能な状態にした上で、ベース部１２を設置対象面１の一方である床面に載置することにより長尺部材７を立設する。次いで、第２の支柱材８ｂを上方引き上げると、第１の支柱材８ａが第２の支柱材８ｂから引き出されるようにして長尺部材７が伸長する。滑り止め部材４が設置対象面１の他方である天井面に接触した後もそのまま引き上げ続け、付勢手段５が撓む程度までになったら、連結金具１１を締め、以後、長尺部材７が縮退しないようにする。
【００３７】
この状態で突起３は、付勢手段５の付勢力を受けて天井に押し付けられており、例えば、天井が石膏ボード等などで形成されていれば、天井面１に突き刺さる。また、滑り止め部材４は揺動支持部６により揺動自在にされるために、付勢手段５による天井面１への押し付けに際して天井面１が不陸により傾いているときにも、これに追随して突起３の良好な突き刺さりが確保される。
【００３８】
以上にようにして伸縮式支柱が天井と床の間に突っ張り状に固定される。この状態でアーム部９は伸縮可能な状態にあり、かつ、付勢手段１８によって伸縮式支柱を伸長する方向の付勢力が常時作用しているために、地震等によって天井と床の間隔がやや変化しても、これに追随して良好な突っ張り状態、すなわち設置状態を保持する。また、伸縮式支柱を取り外す際には、連結金具１１を緩めれば、長尺部材７が縮退して突起３を天井面１から抜き取ることも容易になる。また、突起３は小さいために、取り外した後の天井面１に目立つような傷が残ることもない。
【００３９】
図５に上述したベース部１２の変形例を示す。なお、この変形例において上述した実施の形態と同一の要素には同一の符号を付して説明を省略する。この変形例において、ベース部１２は、第１の支柱材８ａの下端を傾動自在に支承する支持面２４を備える。この支持面２４は、ゴム等の弾性材により形成される支持ブロック部２５の上面を下方に向かって凹円錐面状に掘り下げて形成される。したがって第１の支柱材８ａは、支持面２４上で下端を摺動させることにより、床面１の不陸があるときにも鉛直姿勢に保持することができる。なお、支持面２４は凹円錐面２４に代えて凹球面にしても足りる。
【００４０】
また、この変形例において、伸縮式支柱を設置する天井や床は石膏ボードやフローリング等の天井材、床材ではなく、コンクリートにより形成されており、上記ベース部１２の底面には滑り止め部材４が配置される。したがって伸縮式支柱は、滑り止め部材４を天井面１や床面１に圧接させ、コンクリート表面の凹凸に突起３を係止させるとともに、突起３の先端に荷重を集中させて滑り止めされる。
【００４１】
なお、以上の実施の形態や変形例においては、滑り止め部材４として金属板材から突起３を切り起こしたものを用いる場合を示したが、例えば下ろし金のように金属板材の表面をタガネ等で押し出すように掘り起こしたり、あるいは、ポンチで突起３を金属板材の裏面側から叩き出すようにしても足りる。また、長尺部材７を天井と床との間ではなく、例えば横壁間に配置される突っ張り棒とし、滑り止め部材４をその両端等に配置したり、さらには、長尺部材７を床面上に滑り止め固定されるハンガーラックとし、滑り止め部材４をその下端のみに配置しても足りる。
【符号の説明】
【００４２】
１  設置対象面
２  取付面
３  突起
４  滑り止め部材
５  押し付け手段
６  揺動支持部
７  長尺部材
８  支柱部
９  アーム部
【図１】
2016217427.tif 000003
【図２】
2016217427.tif 000004
【図３】
2016217427.tif 000005
【図４】
2016217427.tif 000006
【図５】
2016217427.tif 000007